(57)【要約】【課題】バイパス工事のやり直しをせずに、異なる給電方式の直管ＬＥＤランプを既設の照明器具に取り付けることができる直管ＬＥＤランプの給電方法、給電用アダプタ、及び給電キットを提供する。【解決手段】両ピン接続式の両側給電用配線工事が施された既設の直管蛍光ランプ用の照明器具１０に対して、片側給電式の直管ＬＥＤランプ３３を取り付けるに当たり、ランプの給電側の口金３６に設けた給電用アダプタ１２０により、第１のピン電極４１を照明器具のソケット１１の第１の端子２１に導通接続すると共に、第２のピン電極４２と第２の端子２２とを絶縁する。一方、ランプの給電側の第２のピン電極４２に、補助電線１００の一端ＬＡ端子１０１を導通接続すると共に、補助電線の他端ＬＡ端子１０２を、ランプの反給電側口金３７のダミーのピン電極４３、４４のうちの少なくとも一方に導通接続する。【選択図】図１
2018006151.tif 000002
【特許請求の範囲】
【請求項１】
直管蛍光ランプに代えて電源内蔵型の直管ＬＥＤランプを取り付けるために両ピン接続式の両側給電用配線工事が施された既設の直管蛍光ランプ用の照明器具に対して、片側給電式の直管ＬＥＤランプを取り付けるに当たり、
前記片側給電式の直管ＬＥＤランプの給電側において、前記直管ＬＥＤランプの給電側口金の第１及び第２の２つの給電用のピン電極のうちの第１の給電用のピン電極を、前記照明器具の一端側のソケットの第１及び第２の２つの給電用の端子のうちの第１の給電用の端子に導通接続すると共に、前記第２の給電用のピン電極と前記第２の給電用の端子とを絶縁し、
一方、前記第２の給電用の端子に対し絶縁した前記直管ＬＥＤランプの給電側口金の前記第２の給電用のピン電極に、補助電線の一端を導通接続すると共に、該補助電線の他端を、前記照明器具の他端側のソケットの第１及び第２の２つの給電用の端子に接続される前記直管ＬＥＤランプの反給電側口金の第１及び第２の２つのダミーのピン電極のうちの少なくとも一方に導通接続することを特徴とする直管ＬＥＤランプの給電方法。
【請求項２】
直管蛍光ランプに代えて電源内蔵型の直管ＬＥＤランプを取り付けるために片ピン接続式の両側給電用配線工事が施された既設の直管蛍光ランプ用の照明器具に対して、片側給電式の直管ＬＥＤランプを取り付けるに当たり、
前記片側給電式の直管ＬＥＤランプの給電側において、前記直管ＬＥＤランプの給電側口金の第１及び第２の２つの給電用のピン電極のうちの第１の給電用のピン電極を、前記照明器具の一端側のソケットの給電用とダミーの２つの端子のうちの給電用の端子に導通接続し、
一方、前記直管ＬＥＤランプの給電側口金の前記第２の給電用のピン電極に、補助電線の一端を導通接続すると共に、該補助電線の他端を、前記直管ＬＥＤランプの反給電側の２つのダミーのピン電極のうち、前記照明器具の他端側のソケットの給電用及びダミーの２つの端子のうちの給電用の端子に接続されるピン電極に導通接続することを特徴とする直管ＬＥＤランプの給電方法。
【請求項３】
直管蛍光ランプに代えて電源内蔵型の直管ＬＥＤランプを取り付けるために片側給電用配線工事が施された既設の直管蛍光ランプ用の照明器具に対して、片ピン接続式の両側給電式の直管ＬＥＤランプを取り付けるに当たり、
片側給電用配線工事が施された前記照明器具の給電側ソケットにおいて、前記直管ＬＥＤランプの一端側の給電用の第１のピン電極とダミーの第２のピン電極のうち、給電用の第１のピン電極を、前記給電側ソケットにおける給電用の第１の端子及び第２の端子のうちの第１の端子に導通接続し、
一方、前記給電側ソケットにおける給電用の第１の端子及び第２の端子のうちの第２の端子に接続される前記直管ＬＥＤランプの一端側のダミーの第２のピン電極に補助電線の一端を導通接続し、該補助電線の他端を、前記照明器具の反給電ソケットに接続される、前記直管ＬＥＤランプの他端側の給電用の第１のピン電極及びダミーの第２のピン電極のうちの給電用の第１のピン電極に導通接続することを特徴とする直管ＬＥＤランプの給電方法。
【請求項４】
請求項１に記載の直管ＬＥＤランプの給電方法の実施の際に、前記片側給電式の直管ＬＥＤランプの給電側口金と前記既設の直管蛍光ランプ用の照明器具の一端側のソケットとの間に装着される給電用アダプタであって、
一端面に、前記片側給電式の直管ＬＥＤランプの給電側の２つの給電用のピン電極をそれぞれ差し込み可能な２つの差込孔が設けられ、
他端面に、前記２つの差込孔に対応するように、前記既設の直管蛍光ランプ用の照明器具の一端側のソケットに差し込み可能な第１及び第２の２つのピンが突設され、
前記第１及び第２の２つのピンのうちの第１のピンは、前記差込孔に差し込まれたピン電極を、前記ソケット内の端子に導通接続する導電ピンとして構成され、
前記第１及び第２の２つのピンのうちの第２のピンは、前記差込孔に差し込まれたピン電極を、前記ソケット内の端子と絶縁する絶縁ピンとして構成されていることを特徴とする給電用アダプタ。
【請求項５】
請求項４に記載の給電用アダプタと、絶縁被覆電線の両端に前記直管ＬＥＤランプのピン電極に嵌合可能なＬＡ端子を装着した前記補助電線と、を備えることを特徴とする給電キット。
【発明の詳細な説明】
【技術分野】
【０００１】
本発明は、バイパス工事済みの既設の直管蛍光ランプ用の照明器具に対し、電源内蔵型の直管ＬＥＤランプを取り付ける際の給電方法、その給電方法を実施する際に使用するのに適した給電用アダプタ、及び、給電キットに関するものである。
【背景技術】
【０００２】
近年、省エネや省メンテナンス等の観点から、直管蛍光ランプの代替として、既設の直管蛍光ランプ用の照明器具に取り付け可能な電源内蔵型の直管ＬＥＤランプが注目されている。
【０００３】
この電源内蔵型の直管ＬＥＤランプは、交流を直流に変換する電源部を内蔵したもので、商用交流電源（ＡＣ１００Ｖ又は２００Ｖ）に直結する必要がある。周知のように、既設の直管蛍光ランプ用の照明器具には安定器が設けられている。そのため、一般的には、安定器を給電回路から切り離して直接ＬＥＤランプに商用電源を直結するバイパス工事を行う。これにより、電源内蔵型の直管ＬＥＤランプを、既設の直管蛍光ランプ用の照明器具にそのまま取り付けられるようにしている。なお、このバイパス工事は、電気工事士の資格を持つ人でないと行うことはできない。
【０００４】
電源内蔵型の直管ＬＥＤランプには、給電形式の異なる数種のものが存在する。
図５（ａ）〜（ｃ）は、その主たる幾つかの例を示している。
【０００５】
図５（ａ）〜（ｃ）において、符号３５で示すものはＬＥＤランプ内に内蔵された電源部である。ＬＥＤランプの両端の口金３６、３７には、それぞれ２本ずつ、取り付けのため及び給電のためのピン電極４１〜４４が設けられている。
【０００６】
図５（ａ）及び（ｂ）に示すものは、直管ＬＥＤランプの両端側から内蔵電源部に交流を給電する両側給電式の直管ＬＥＤランプである。このうち、図５（ａ）に示す両側給電式の直管ＬＥＤランプ３１は、各側の両ピン電極を全て給電用のピン電極とした両ピン接続型の両側給電式の直管ＬＥＤランプ（タイプＡ）である。又、図５（ｂ）に示す両側給電式の直管ＬＥＤランプ３２は、各側の両ピン電極のうちの片方のピン電極だけを給電用のピン電極とし、もう片方のピン電極は給電に供しないダミー（非給電）とした片ピン接続型の両側給電式直管ＬＥＤランプ（タイプＢ）である。
【０００７】
今、図５（ａ）に示すタイプ（両ピン接続型の両側給電式）の直管ＬＥＤランプ３１においては、両端の両ピン電極が、全て給電用のピン電極４１、４２、４３、４４とされている。ここでは、例えば、一端側の口金３６の２つのピン電極４１、４２が交流Ｎ極の給電用ピン電極とされ、他端側の口金３７の２つのピン電極４３、４４が交流Ｌ極の給電用ピン電極とされている。
【０００８】
又、図５（ｂ）に示すタイプ（片ピン接続型の両側給電式）の直管ＬＥＤランプ３２においては、両端の両ピン電極４１、４２、４３、４４のうちの各片方のピン電極４１、４３のみが給電用のピン電極とされ、もう片方のピン電極４２、４４が給電に供しないダミー（非給電）のピン電極とされている。ここでは、例えば、一端側の口金３６の給電用のピン電極４１が交流Ｎ極の給電用のピン電極とされ、他端側の口金３７の給電用のピン電極４３が交流Ｌ極の給電用のピン電極とされている。
【０００９】
一方、図５（ｃ）に示すタイプは、直管ＬＥＤランプの片端側から内蔵電源部に給電する片側給電式の直管ＬＥＤランプ３３である。この図５（ｃ）に示すタイプにおいては、例えば、給電側とされた一端側の口金３６の２つのピン電極４１、４２のうちの一方のピン電極４１が交流Ｎ極の給電用のピン電極とされ、他方のピン電極４２が交流Ｌ極の給電用のピン電極４２とされている。
【００１０】
次に図６は、２灯式の直管蛍光ランプ用の照明器具１０の一般的な配線構造を示している。
直管蛍光ランプ１００を使用する照明器具１０には、商用交流電源１と直管蛍光ランプ１００との間に安定器１６が備わっている。この照明器具１０に、直管蛍光ランプ１００に代えて、電源内蔵型の直管ＬＥＤランプを取り付ける場合には、安定器１６は不要であり、安定器１６を内部回路から切り離すバイパス工事が必要となる。
【００１１】
そのバイパス工事の際には、例えば、図６において「×」印で示した箇所で電線を切断し、これから使用する直管ＬＥＤランプが両側給電式のものである場合には、一般的に図７に示すように、両側給電用の配線工事を行っている。又、これから使用する直管ＬＥＤランプが片側給電式のものである場合には、図８に示すように、片側給電用の配線工事を行っている。
【００１２】
即ち、一般的な両側給電用の配線工事では、図７に示すように、両側給電式の直管ＬＥＤランプ３１、３２の一端側の口金３６に対応した照明器具１０側の一端側のソケット１１の両端子２１、２２に交流電源のＮ極を接続し、他端側の口金３７に対応した照明器具１０側の他端側のソケット１２の両端子２３、２４に交流電源のＬ極を接続する。
【００１３】
又、片側給電用の配線工事では、図８に示すように、片側給電式の直管ＬＥＤランプ３３の給電側の口金３６に対応した照明器具１０の給電側のソケット１１の両端子２１、２２のうちの一方の端子２１に交流電源のＮ極を接続し、他方の端子２２に交流電源のＬ極を接続する。なお、片側給電式の直管ＬＥＤランプ３３の反給電側の口金３７に対応した照明器具１０の非給電側のソケット１２の両端子２３、２４は、直管ＬＥＤランプ３３の口金３７のピン電極４２、４３と共に、給電に供しないダミーとされている。ダミーとされている部分を図中符号Ｄで示す。
【００１４】
以上のように、予めバイパス工事を行っておくことにより、図７に示す両側給電用の配線工事済みの照明器具１０には、両側給電式の直管ＬＥＤランプ３１、３２を適正に取り付けて使用することができる。又、図８に示す片側給電用の配線工事済みの照明器具１０には、片側給電式の直管ＬＥＤランプ３３を適正に取り付けて使用することができる。
【００１５】
因みに、直管ＬＥＤランプを、直管蛍光ランプの代替として、既設の直管蛍光ランプ用の照明器具に取り付ける従来例については、例えば、特許文献１に記載されている。
【先行技術文献】
【特許文献】
【００１６】
【特許文献１】特開２０１１−１３８６３８号公報
【発明の概要】
【発明が解決しようとする課題】
【００１７】
ところで、何らかの都合により、予めバイパス工事が済んでいる照明器具に対して、そのままでは取り付けることのできない不適合の給電タイプの直管ＬＥＤランプを取り付ける必要が生じることがある。
【００１８】
例えば、図９（ａ）に示すように、両側給電用のバイパス工事済みの既設の照明器具１０に対して、両側給電式ではない、つまり、片側給電式の直管ＬＥＤランプ３３を取り付けたいという要求が生じることがある。そのような場合、そのまま片側給電式の直管ＬＥＤランプ３３を取り付けることは「ＮＧ」である。
【００１９】
そこで、通常は、電気工事士の資格を持つ作業者によって、バイパス工事をやり直さなくてはならない。即ち、図９（ａ）に示す「×」印の箇所で電線を切断して、新たなバイパス工事をやり直すことにより、図９（ｂ）に示すように、片側給電タイプの配線構造を備えた照明器具１０に改造しなくてはならない。
【００２０】
しかし、この新たなバイパス工事は、電気工事士の資格を持つ人が行わなければならないため、手間とコストが大きく掛かるという課題がある。又、いったんバイパス工事が済んだところに新たな改造を加えることになるため、配線がわかりにくく、工事に時間がかかる上、人為的な接続ミスが発生する可能性もある。
【００２１】
本発明は、上記事情を考慮し、既に直管ＬＥＤランプ用の配線工事（バイパス工事）を行っている照明器具に対して給電方式の異なる直管ＬＥＤランプを装着する必要が生じた場合に、バイパス工事のやり直しという面倒な手続きを経ずに、異なる給電方式の直管ＬＥＤランプを、容易且つ安全に、既設の照明器具に取り付けることができる直管ＬＥＤランプの給電方法、その給電方法を実施する際に使用するのに適した給電用アダプタ、及び、給電キットを提供することを目的とする。
【課題を解決するための手段】
【００２２】
上記課題を解決するために、本発明に係る直管ＬＥＤランプの給電方法は、直管蛍光ランプに代えて電源内蔵型の直管ＬＥＤランプを取り付けるために両ピン接続式の両側給電用配線工事が施された既設の直管蛍光ランプ用の照明器具に対して、片側給電式の直管ＬＥＤランプを取り付けるに当たり、前記片側給電式の直管ＬＥＤランプの給電側において、前記直管ＬＥＤランプの給電側口金の第１及び第２の２つの給電用のピン電極のうちの第１の給電用のピン電極を、前記照明器具の一端側のソケットの第１及び第２の２つの給電用の端子のうちの第１の給電用の端子に導通接続すると共に、前記第２の給電用のピン電極と前記第２の給電用の端子とを絶縁し、一方、前記第２の給電用の端子に対し絶縁した前記直管ＬＥＤランプの給電側口金の前記第２の給電用のピン電極に、補助電線の一端を導通接続すると共に、該補助電線の他端を、前記照明器具の他端側のソケットの第１及び第２の２つの給電用の端子に接続される前記直管ＬＥＤランプの反給電側口金の第１及び第２の２つのダミーのピン電極のうちの少なくとも一方に導通接続することを特徴とする。
【００２３】
このような方法とすることで、既に両ピン接続式の両側給電用配線工事が施されている既設の直管蛍光ランプ用の照明器具に対して、面倒な手続きの電気工事を省くことができる。このため、容易且つ安全に、片側給電式の直管ＬＥＤランプを取り付けることができる。
【００２４】
又、本発明に係る直管ＬＥＤランプの給電方法は、直管蛍光ランプに代えて電源内蔵型の直管ＬＥＤランプを取り付けるために片ピン接続式の両側給電用配線工事が施された既設の直管蛍光ランプ用の照明器具に対して、片側給電式の直管ＬＥＤランプを取り付けるに当たり、前記片側給電式の直管ＬＥＤランプの給電側において、前記直管ＬＥＤランプの給電側口金の第１及び第２の２つの給電用のピン電極のうちの第１の給電用のピン電極を、前記照明器具の一端側のソケットの給電用とダミーの２つの端子のうちの給電用の端子に導通接続し、一方、前記直管ＬＥＤランプの給電側口金の前記第２の給電用のピン電極に、補助電線の一端を導通接続すると共に、該補助電線の他端を、前記直管ＬＥＤランプの反給電側の２つのダミーのピン電極のうち、前記照明器具の他端側のソケットの給電用及びダミーの２つの端子のうちの給電用の端子に接続されるピン電極に導通接続することを特徴とする。
【００２５】
このような方法とすることで、既に片ピン接続式の両側給電用配線工事が施されている既設の直管蛍光ランプ用の照明器具に対して、面倒な手続きの電気工事を省くことができる。このため、容易且つ安全に片側給電式の直管ＬＥＤランプを取り付けることができる。
【００２６】
又、本発明に係る直管ＬＥＤランプの給電方法は、直管蛍光ランプに代えて電源内蔵型の直管ＬＥＤランプを取り付けるために片側給電用配線工事が施された既設の直管蛍光ランプ用の照明器具に対して、片ピン接続式の両側給電式の直管ＬＥＤランプを取り付けるに当たり、片側給電用配線工事が施された前記照明器具の給電側ソケットにおいて、前記直管ＬＥＤランプの一端側の給電用の第１のピン電極とダミーの第２のピン電極のうち、給電用の第１のピン電極を、前記給電側ソケットにおける給電用の第１の端子及び第２の端子のうちの第１の端子に導通接続し、一方、前記給電側ソケットにおける給電用の第１の端子及び第２の端子のうちの第２の端子に接続される前記直管ＬＥＤランプの一端側のダミーの第２のピン電極に補助電線の一端を導通接続し、該補助電線の他端を、前記照明器具の反給電ソケットに接続される、前記直管ＬＥＤランプの他端側の給電用の第１のピン電極及びダミーの第２のピン電極のうちの給電用の第１のピン電極に導通接続することを特徴とする。
【００２７】
このような方法とすることで、既に片側給電用配線工事が施されている既設の直管蛍光ランプ用の照明器具に対して、面倒な手続きの電気工事を省くことができる。このため、容易且つ安全に両側給電式の直管ＬＥＤランプを取り付けることができる。
【００２８】
本発明に係る給電用アダプタは、両ピン接続式の両側給電用配線工事が施された既設の直管蛍光ランプ用の照明器具に対して、片側給電式の直管ＬＥＤランプを取り付ける際に、片側給電式の直管ＬＥＤランプの給電側口金と既設の直管蛍光ランプ用の照明器具の一端側のソケットとの間に装着される給電用アダプタであって、一端面に、前記片側給電式の直管ＬＥＤランプの給電側の２つの給電用のピン電極をそれぞれ差し込み可能な２つの差込孔が設けられ、他端面に、前記２つの差込孔に対応するように、前記既設の直管蛍光ランプ用の照明器具の一端側のソケットに差し込み可能な第１及び第２の２つのピンが突設され、前記第１及び第２の２つのピンのうちの第１のピンは、前記差込孔に差し込まれたピン電極を、前記ソケット内の端子に導通接続する導電ピンとして構成され、前記第１及び第２の２つのピンのうちの第２のピンは、前記差込孔に差し込まれたピン電極を、前記ソケット内の端子と絶縁する絶縁ピンとして構成されていることを特徴とする。
【００２９】
このように構成することで、片側給電式の直管ＬＥＤランプの給電側口金の２つのピン電極を、給電用アダプタの一端面の２つの差込孔にそれぞれ差し込む。また、給電用アダプタの他端面の２つのピンを、照明器具のソケットに差し込む。
これにより、片側給電式の直管ＬＥＤランプの給電側口金の２つのピン電極のうちの一方のピン電極を、照明器具のソケットの一方の端子に導通接続できる。また、他方のピン電極を照明器具のソケットの他方の端子に絶縁しながら、直管ＬＥＤランプの口金を照明器具のソケットに装着することができる。
【００３０】
本発明の給電キットは、前記給電用アダプタと、絶縁被覆電線の両端に直管ＬＥＤランプのピン電極に嵌合可能なＬＡ端子を装着した補助電線と、を備えることを特徴とする。
【００３１】
このように構成することで、このキットを用いることにより、既に両ピン接続式の両側給電用配線工事が施されている既設の直管蛍光ランプ用の照明器具に対して、面倒な手続きの電気工事を省くことができる。このため、容易且つ安全に片側給電式の直管ＬＥＤランプを取り付けることができる。
【発明の効果】
【００３２】
本発明によれば、既にバイパス工事が施されている既設の直管蛍光ランプ用の照明器具に対して、面倒な手続きの電気工事を省くことができる。このため、容易且つ安全に、異なる給電方式の直管ＬＥＤランプを取り付けることができる。
【図面の簡単な説明】
【００３３】
【図１】本発明の第１実施形態における給電方法の説明図であって、（ａ）は全体概念図、（ｂ）はその要部を取り出して示す拡大図である。
【図２】本発明の第１実施形態の給電方法を実施する際に用いる給電キットの説明図であって、（ａ）は給電用アダプタの斜視図、（ｂ）は給電用アダプタの断面図、（ｃ）は補助電線の構成図である。
【図３】本発明の第１実施形態におけるアダプタを直管ＬＥＤランプの一端の口金に装着した状態を示す斜視図である。
【図４】本発明の第２実施形態における給電方法の説明図であって、（ａ）は全体概念図、（ｂ）はその要部を取り出して示す拡大図である。
【図５】従来の直管ＬＥＤランプの給電タイプの違いを説明するための図であって、（ａ）は両ピン接続式の両側給電式の直管ＬＥＤランプの概略構成図、（ｂ）は片ピン接続式の両側給電式の直管ＬＥＤランプの概略構成図、（ｃ）は片側給電式の直管ＬＥＤランプの概略構成図である。
【図６】一般的な直管蛍光ランプ用の照明器具の配線構造を示す図である。
【図７】従来の配線構造にバイパス工事を施して両側給電用配線を実現した状態を示す図である。
【図８】従来の配線構造にバイパス工事を施して片側給電用配線を実現した状態を示す図である。
【図９】従来における予め両側給電用の配線工事（バイパス工事）を施した照明器具に対して片側給電式の直管ＬＥＤランプを取り付ける場合の説明図であって、（ａ）は不具合が生じる理由説明図、（ｂ）は片側給電ができるようにした配線構造図である。
【発明を実施するための形態】
【００３４】
以下、本発明の実施形態を図面に基づいて説明する。
【００３５】
（第１実施形態）
第１実施形態では、予め図７に示すような一般的な両ピン接続用の両側給電用の配線工事（バイパス工事）が施されている既設の直管蛍光ランプ用の照明器具に対して、図５（ｃ）に示すような片側給電式の直管ＬＥＤランプを取り付ける場合の給電方法について述べる。
【００３６】
図１は、第１実施形態の給電方法の説明図であって、（ａ）は全体概念図、（ｂ）はその要部を取り出して示す拡大図である。図２は、その給電方法を実施する際に用いる給電キットの説明図であって、（ａ）は給電用アダプタの斜視図、（ｂ）は給電用アダプタの断面図、（ｃ）は補助電線の構成図である。図３は、図２に示した給電用アダプタを直管ＬＥＤランプの一端の口金に装着した状態を示す斜視図である。
【００３７】
まず、給電キットについて説明すると、ここで用いる給電キットは、図１及び図２（ａ）〜（ｃ）に示すように、給電用アダプタ１２０と、絶縁被覆電線の両端に直管ＬＥＤランプのピン電極に嵌合可能なＬＡ端子１０１、１０２を装着した補助電線１００と、からなる。
【００３８】
給電用アダプタ１２０は、図１及び図３に示すように、片側給電式の直管ＬＥＤランプ３３の給電側の口金３６と、既設の直管蛍光ランプ用の照明器具１０の一端側のソケット１１との間に装着されるものである。
【００３９】
図２（ａ）及び（ｂ）に示すように、この給電用アダプタ１２０は、樹脂成形品よりなるアダプタ本体１２１を有している。アダプタ本体１２１は、一端面１２１ａに、片側給電式の直管ＬＥＤランプ３３における給電側の口金３６の２つの給電用のピン電極４１、４２をそれぞれ差し込み可能な２つの差込孔１４１ａ、１４２ａを有している。
又、アダプタ本体１２１は、他端面１２１ｂに、２つの差込孔１４１ａ、１４２ａに対応するように、既設の直管蛍光ランプ用の照明器具１０の一端側のソケット１１に差し込み可能な第１及び第２の２つのピン１４１、１４２を有している。
【００４０】
２つのピン１４１、１４２は、それぞれアダプタ本体１２１の一端面１２１ａ側から挿通され、他端面１２１ｂに突出する。そして、差込孔１４１ａ、１４２ａの他端面１２１ｂ側、及びピン１４１、１４２の基端は、互いに係合可能に構成されている。
また、アダプタ本体１２１は、片側給電式の直管ＬＥＤランプ３３の給電側の口金３６に安定してセットできるように、例えば、正面から見て十字型に形成されている。
【００４１】
第１及び第２の２つのピン１４１、１４２のうちの第１のピン１４１は、対応する差込孔１４１ａに差し込まれたピン電極４１を、ソケット１１内の端子２１に導通接続する導電ピンとして構成されている。一方、第２のピン１４２は、対応する差込孔１４２ａに差し込まれたピン電極４２を、ソケット１１内の端子２２と絶縁する絶縁ピンとして構成されている。つまり、導電ピンとしての第１のピン１４１は、金属製である。一方、絶縁ピンとしての第２のピン１４２は、樹脂で成形されている。
【００４２】
図１及び図３に示すように、この給電用アダプタ１２０を使用する場合は、片側給電式の直管ＬＥＤランプ３３における給電側の口金３６の２つのピン電極４１、４２を、給電用アダプタ１２０の一端面１２１ａの２つの差込孔１４１ａ、１４２ａにそれぞれ差し込む。又、給電用アダプタ１２０の他端面１２１ｂの２つのピン１４１、１４２を、照明器具１０のソケット１１の端子２１、２２の位置に差し込む。
【００４３】
こうすることにより、片側給電式の直管ＬＥＤランプ３３における給電側の口金３６の２つのピン電極４１、４２のうちの一方のピン電極４１を、照明器具１０のソケット１１の一方の端子２１に導通接続することができる。同時に、他方のピン電極４２を、照明器具１０のソケット１１の他方の端子２２に対して絶縁することができる。又、そのような状態を保持しながら、直管ＬＥＤランプ３３における給電側の口金３６を、照明器具１０のソケット１１に装着することができる。
【００４４】
ここでは、給電用アダプタ１２０を直管ＬＥＤランプ３３における給電側の口金３６に装着する前に、第２の給電用の端子２２に対し絶縁する直管ＬＥＤランプ３３における給電側の口金３６の第２の給電用のピン電極４２に、補助電線１００の一端のＬＡ端子１０１を嵌めて導通接続しておく。
【００４５】
又、直管ＬＥＤランプ３３の反給電（ダミー）側の口金３７を照明器具１０のソケット１２に装着する前に、補助電線１００の他端のＬＡ端子１０２を、直管ＬＥＤランプ３３の反給電側口金３７の第１及び第２の２つのダミーのピン電極４３、４４のうちの少なくとも一方に嵌めて導通接続しておく。
【００４６】
そして、その状態で、直管ＬＥＤランプ３３の反給電（ダミー）側の口金３７を、照明器具１０のソケット１２に装着する。こうすることにより、照明器具１０の他端側のソケット１２の第１及び第２の給電用の端子２３、２４に補助電線１００の他端が導通接続されることになる。これにより、照明器具１０の他端側のソケット１２の第１及び第２の２つの給電用の端子２３、２４と、直管ＬＥＤランプ３３における給電側の口金３６の第２の給電用のピン電極４２とが、補助電線１００を介して導通する。
【００４７】
前述したように、照明器具１０の一端側のソケット１１の端子２１、２２と、他端側のソケット１１の端子２３、２４には、交流電源のＬ極とＮ極がそれぞれ接続されている。従って、給電用アダプタ１２０及び補助電線１００を用いて上述のように直管ＬＥＤランプ３３を照明器具１０に装着することにより、片側給電式の直管ＬＥＤランプ３３における２つの給電用のピン電極４１、４２に対して、適正にＬ極とＮ極の交流電力を印加することができる。
【００４８】
以上のように、既に両ピン接続式の両側給電用配線工事が施されている既設の直管蛍光ランプ用の照明器具１０に対して、面倒な手続きの電気工事を省くことができる。このため、容易且つ安全に、片側給電式の直管ＬＥＤランプ３３を取り付けて使用することができる。
【００４９】
なお、上述の第１実施形態では、予め照明器具１０に、両ピン接続式の両側給電用配線工事が施されている場合について説明した。しかしながら、両ピン接続式ではなく、片ピン接続式の両側給電用配線工事が施されている場合（図示略）にも、補助電線１００を用いることにより、面倒な手続きの電気工事を省くことができる。このため、容易且つ安全に、片側給電式の直管ＬＥＤランプ３３を取り付けて使用することができる。
【００５０】
この場合は、給電用アダプタ１２０は使用する必要がない。即ち、片側給電式の直管ＬＥＤランプ３３の給電側（一端側）において、直管ＬＥＤランプ３３における給電側の口金３６の第１及び第２の２つの給電用のピン電極４１、４２のうちの例えば第１の給電用のピン電極４１を、照明器具１０の一端側のソケット１１の給電用とダミーの２つの端子２１、２２のうちの給電用の端子２１に導通接続する。従って、ダミーの端子２２には、もう一方の第２の給電用のピン電極４１が接続されることになる。
【００５１】
一方、片側給電式の直管ＬＥＤランプ３３における給電側の口金３６を照明器具１０のソケット１１に装着する前に、直管ＬＥＤランプ３３における給電側の口金３６の第２の給電用のピン電極４２に、補助電線１００の一端のＬＡ端子１０１を嵌めて導通接続する。又、補助電線１００の他端のＬＡ端子１０２を、直管ＬＥＤランプ３３の反給電側の２つのダミーのピン電極４３、４４のうち、照明器具１０の他端側のソケット１２の給電用及びダミーの２つの端子２３、２４のうちの給電用の端子２３に接続されるピン電極４３に導通接続する。
【００５２】
こうすることにより、照明器具１０の他端側のソケット１２の給電用の端子２３に補助電線１００が導通接続されることになる。これにより、照明器具１０の他端側のソケット１２の給電用の端子２３と、直管ＬＥＤランプ３３における給電側の口金３６の第２の給電用のピン電極４２とが、補助電線１００を介して導通される。
【００５３】
前述したように、照明器具１０の一端側のソケット１１の一方の端子２１と、他端側のソケット１１の一方の端子２３には、交流電源のＬ極とＮ極がそれぞれ接続されている。従って、給電用アダプタ１２０及び補助電線１００を用いて上述のように直管ＬＥＤランプ３３を照明器具１０に装着することにより、片側給電式の直管ＬＥＤランプ３３の２つの給電用のピン電極４１、４２に対して、適正にＬ極とＮ極の交流電力を印加することができる。
【００５４】
以上のように、既に片ピン接続式の両側給電用配線工事が施されている既設の直管蛍光ランプ用の照明器具１０に対して、面倒な手続きの電気工事を省くことができる。このため、容易且つ安全に、片側給電式の直管ＬＥＤランプ３３を取り付けて使用することができる。
【００５５】
なお、上述の第１実施形態では、予め照明器具１０に、両ピン接続式あるいは片ピン接続式の両側給電用配線工事が施されている場合について説明した。
これに対し、予め片側給電用配線工事が施されている照明器具に対して、面倒な手続きの電気工事を省くことができる。これにより、容易且つ安全に、片ピン接続式の両側給電式の直管ＬＥＤランプ３２を取り付けて使用することもできる。この点について次の第２実施形態で説明する。但し、ここでは、両ピン接続式の両側給電式の直管ＬＥＤランプ３１に対する対策については除外するものとし、あくまで対象は、片ピン接続式の両側給電式の直管ＬＥＤランプ３２とする。
【００５６】
（第２実施形態）
図４は、第２実施形態の給電方法の説明図であって、（ａ）は全体概念図、（ｂ）はその要部を取り出して示す拡大図である。
【００５７】
図２（ａ）に示すように、予め、照明器具１０には、片側給電式の配線工事が施されているものとする。このような配線工事が施された照明器具１０に、片ピン接続式の両側給電式ランプ３２を取り付ける必要が生じた場合、前述の給電用アダプタ１２０は使用せず、補助電線１００のみを使用して、次のように配線を施す。
【００５８】
即ち、図４（ａ）及び（ｂ）に示すように、片側給電用配線工事が施された照明器具１０の給電側のソケット１１において、直管ＬＥＤランプ３２の一端側の給電用の第１のピン電極１とダミーの第２のピン電極４２のうち、給電用の第１のピン電極４１を、給電側のソケット１１における給電用の第１の端子２１及び第２の端子２２のうちの第１の端子２１に導通接続する。
【００５９】
一方、直管ＬＥＤランプ３２の一端側のダミーの第２のピン電極４２に補助電線１００の一端のＬＡ端子１０１を嵌めて導通接続する。そして、補助電線１００の他端のＬＡ端子１０２を、照明器具１０の反給電ソケット１２に接続される、直管ＬＥＤランプ３２の他端側の給電用の第１のピン電極４３及びダミーの第２のピン電極４４のうちの給電用の第１のピン電極４３に嵌めて導通接続する。
【００６０】
前述したように、照明器具１０の給電側のソケット１１における第１の端子２１と第２の端子２２には、交流電源のＬ極とＮ極がそれぞれ接続されている。従って、補助電線１００を用いて上述のように直管ＬＥＤランプ３２を照明器具１０に装着することにより、両側給電式の直管ＬＥＤランプ３２の両端の各１つの給電用のピン電極４１、４３に対して、適正にＬ極とＮ極の交流電力を印加することができる。
【００６１】
以上のように、既に片側給電用配線工事が施されている既設の直管蛍光ランプ用の照明器具１０に対して、面倒な手続きの電気工事を省くことができる。このため、容易且つ安全に、両側給電式の直管ＬＥＤランプ３２を取り付けて使用することができる。
【００６２】
なお、直管ＬＥＤランプ３１、３２、３３の口金３６、３７は、直管蛍光ランプ専用口金である「Ｇ１３」口金と構造的に互換性のある構造とされている。その他に、Ｇ５，Ｒ１７ｄ，Ｒｘ１７ｄ等の直管蛍光ランプ用の口金と互換する口金を使用することも可能とする。また直管ＬＥＤランプの容量についても、４０Ｗ形の代替品に限定されず、例えば、２０Ｗ形や１１０Ｗ形等の代替品であってもよい。
【符号の説明】
【００６３】
１…商用交流電源
１０…照明器具
１１，１２…ソケット
２１〜２４…端子
３１…両ピン接続式の両側給電式の直管ＬＥＤランプ
３２…片ピン接続式の両側給電式の直管ＬＥＤランプ
３３…片側給電式の直管ＬＥＤランプ
４１〜４４…ピン電極
１００…補助電線
１２０…給電用アダプタ
１４１…導電ピン
１４２…絶縁ピン
【図１】
2018006151.tif 000003
【図２】
2018006151.tif 000004
【図３】
2018006151.tif 000005
【図４】
2018006151.tif 000006
【図５】
2018006151.tif 000007
【図６】
2018006151.tif 000008
【図７】
2018006151.tif 000009
【図８】
2018006151.tif 000010
【図９】
2018006151.tif 000011